(57)【特許請求の範囲】
【請求項１】
コンテンツの提供者が利用する情報端末である１以上の提供者端末が送信するコンテンツを受信するコンテンツ受信部と、
前記コンテンツ受信部が受信したコンテンツと、当該コンテンツの識別情報であるコンテンツ識別情報とを有する情報であるコンテンツ関連情報が格納されるコンテンツ格納部と、
前記コンテンツ受信部が受信したコンテンツを含むコンテンツ関連情報を、前記コンテンツ格納部に蓄積するコンテンツ蓄積部と、
コンテンツの要求者が利用する情報端末である１以上の要求者端末が送信する情報であって、コンテンツ識別情報と、当該コンテンツ識別情報に対応付けられたコンテンツの送信を要求する情報である送信要求情報とを有する情報であるコンテンツ要求情報を受信するコンテンツ要求情報受信部と、
前記コンテンツ受信部が受信したコンテンツの承認を依頼する指示である承認指示を、コンテンツの承認者が利用する情報端末である１以上の承認者端末に送信する承認指示送信部と、
１以上の承認者端末が送信する情報であって、前記承認指示により承認を依頼された前記コンテンツ受信部が受信したコンテンツについての承認処理の結果を示す情報である承認結果を受信する承認結果受信部と、
前記コンテンツ要求情報が要求するコンテンツが、承認されたコンテンツである場合に、当該コンテンツを前記コンテンツ格納部から読み出し、前記コンテンツ要求情報の送信元である要求者端末に送信するコンテンツ送信部と、を備え、
前記コンテンツ受信部は、コンテンツに加えて、コンテンツのジャンルを示す情報であるジャンル情報を受信し、
前記承認指示送信部は、前記コンテンツに対するジャンル情報が示すジャンルに対応する承認者端末に承認指示を送信するコンテンツ管理装置。
【請求項２】
前記承認指示送信部は、前記コンテンツ要求情報受信部がコンテンツ要求情報を受信した場合に、当該コンテンツ要求情報が示すコンテンツについての承認指示を送信する請求項１記載のコンテンツ管理装置。
【請求項３】
前記承認指示送信部は、前記コンテンツ受信部がコンテンツを受信した場合に、当該コンテンツについての承認指示を送信する請求項１記載のコンテンツ管理装置。
【請求項４】
前記承認指示送信部は、予め指定された２以上の承認者端末に承認指示を送信し、
前記コンテンツ送信部は、コンテンツ要求情報が要求するコンテンツについての、２以上の承認者端末が送信する承認結果の全てが、承認されたコンテンツであることを示す場合に、当該コンテンツを前記コンテンツ格納部から読み出し、前記コンテンツ要求情報の送信元に送信する請求項１から請求項３いずれか記載のコンテンツ管理装置。
【請求項５】
前記承認結果受信部が受信した承認結果が、コンテンツが否認されたことを示す場合に、当該承認結果を示す情報を、当該コンテンツを送信した提供者端末に送信する否認情報送信部を更に備えた請求項１から請求項４いずれか記載のコンテンツ管理装置。
【請求項６】
前記コンテンツは、当該コンテンツの料金を示すコンテンツ料金情報と対応付けられており、
前記承認結果の送信元となる承認者端末を利用する承認者に対して、当該承認結果が示す承認の対象となるコンテンツの料金の一部を支払う処理を行う会計処理部を更に備えた請求項１から請求項５いずれか記載のコンテンツ管理装置。
【請求項７】
前記承認者端末を利用する承認者が承認の際に行った行為を示す情報である行為情報を取得する行為情報取得部を更に備え、
前記会計処理部は、前記承認の対象となるコンテンツの料金のうちの、当該行為情報に応じて異なる料金を前記承認者に支払う処理を行う請求項６記載のコンテンツ管理装置。
【請求項８】
前記コンテンツは、医療機関のマニュアルである請求項１から請求項７いずれか記載のコンテンツ管理装置。
【請求項９】
コンテンツと、当該コンテンツの識別情報であるコンテンツ識別情報とを有する情報であるコンテンツ関連情報が格納されるコンテンツ格納部と、コンテンツ受信部と、コンテンツ蓄積部と、コンテンツ要求情報受信部と、承認指示送信部と、承認結果受信部と、コンテンツ送信部とを用いて行われるコンテンツ管理方法であって、
前記コンテンツ受信部が、コンテンツの提供者が利用する情報端末である１以上の提供者端末が送信するコンテンツを受信するコンテンツ受信ステップと、
前記コンテンツ蓄積部が、前記コンテンツ受信ステップで受信したコンテンツを含むコンテンツ関連情報を、前記コンテンツ格納部に蓄積するコンテンツ蓄積ステップと、
前記コンテンツ要求情報受信部が、コンテンツの要求者が利用する情報端末である１以上の要求者端末が送信する情報であって、コンテンツ識別情報と、当該コンテンツ識別情報に対応付けられたコンテンツの送信を要求する情報である送信要求情報とを有する情報であるコンテンツ要求情報を受信するコンテンツ要求情報受信ステップと、
前記承認指示送信部が、前記コンテンツ受信ステップで受信したコンテンツの承認を依頼する指示である承認指示を、コンテンツの承認者が利用する情報端末である１以上の承認者端末に送信する承認指示送信ステップと、
前記承認結果受信部が、１以上の承認者端末が送信する情報であって、前記承認指示により承認を依頼された前記コンテンツ受信ステップで受信したコンテンツについての承認処理の結果を示す情報である承認結果を受信する承認結果受信ステップと、
前記コンテンツ送信部が、前記コンテンツ要求情報が要求するコンテンツが、承認されたコンテンツである場合に、当該コンテンツを前記コンテンツ格納部から読み出し、前記コンテンツ要求情報の送信元である要求者端末に送信するコンテンツ送信ステップと、を備え、
前記コンテンツ受信ステップは、コンテンツに加えて、コンテンツのジャンルを示す情報であるジャンル情報を受信し、
前記承認指示送信ステップは、前記コンテンツに対するジャンル情報が示すジャンルに対応する承認者端末に承認指示を送信するコンテンツ管理方法。
【請求項１０】
前記承認指示送信ステップにおいて、前記承認指示送信部は、前記コンテンツ要求情報受信ステップでコンテンツ要求情報を受信した場合に、当該コンテンツ要求情報が示すコンテンツについての承認指示を送信する請求項９記載のコンテンツ管理方法。
【請求項１１】
コンテンツと、当該コンテンツの識別情報であるコンテンツ識別情報とを有する情報であるコンテンツ関連情報が格納されるコンテンツ格納部にアクセス可能なコンピュータを、
コンテンツの提供者が利用する情報端末である１以上の提供者端末が送信するコンテンツを受信するコンテンツ受信部と、
前記コンテンツ受信部が受信したコンテンツを含むコンテンツ関連情報を、前記コンテンツ格納部に蓄積するコンテンツ蓄積部と、
コンテンツの要求者が利用する情報端末である１以上の要求者端末が送信する情報であって、コンテンツ識別情報と、当該コンテンツ識別情報に対応付けられたコンテンツの送信を要求する情報である送信要求情報とを有する情報であるコンテンツ要求情報を受信するコンテンツ要求情報受信部と、
前記コンテンツ受信部が受信したコンテンツの承認を依頼する指示である承認指示を、コンテンツの承認者が利用する情報端末である１以上の承認者端末に送信する承認指示送信部と、
１以上の承認者端末が送信する情報であって、前記承認指示により承認を依頼された前記コンテンツ受信部が受信したコンテンツについての承認処理の結果を示す情報である承認結果を受信する承認結果受信部と、
前記コンテンツ要求情報が要求するコンテンツが、承認されたコンテンツである場合に、当該コンテンツを前記コンテンツ格納部から読み出し、前記コンテンツ要求情報の送信元である要求者端末に送信するコンテンツ送信部と、して機能させ、
前記コンテンツ受信部は、コンテンツに加えて、コンテンツのジャンルを示す情報であるジャンル情報を受信し、
前記承認指示送信部は、前記コンテンツに対するジャンル情報が示すジャンルに対応する承認者端末に承認指示を送信するプログラム。
【請求項１２】
コンピュータを、
前記承認指示送信部は、前記コンテンツ要求情報受信部がコンテンツ要求情報を受信した場合に、当該コンテンツ要求情報が示すコンテンツについての承認指示を送信する請求項１１記載のプログラム。
【発明の詳細な説明】
【技術分野】
【０００１】
本発明は、アップロードされたコンテンツを、情報端末に対して提供するコンテンツ管理装置等に関するものである。
【背景技術】
【０００２】
従来、コンピュータ・ネットワーク内の医療各部門の医療各部門サブシステムから、放射線科の所見入力等のレポートを、患者の識別コードと医療のカテゴリを表す区分コードを備えたファイル名を付したプリントイメージのファイルとして、プリントイメージファイル管理サーバーに送出すると、このサーバーはファイル名の患者の識別コードを解読して、患者カルテファイルサーバーから患者カルテフォルダを特定するとともに、患者カルテフォルダ内の区分コードに応じて作成されているフォルダにレポートを送出する包括的医療情報管理システムが知られていた（例えば、特許文献１参照）。
【先行技術文献】
【特許文献】
【０００３】
【特許文献１】特開２０００−３４８１１５号公報（第１頁、第１図等）
【発明の概要】
【発明が解決しようとする課題】
【０００４】
しかしながら、従来のような管理システムにおいては、承認が必要なコンテンツの登録と提供とを適切に管理することができない、という課題があった。
【０００５】
例えば、医療関係者等に提供される医療に関連するコンテンツについて考えた場合、このようなコンテンツは、医療に関する法律や医療技術の観点等からみて適切な内容が記載されている必要がある。このため、医療に関連するコンテンツは、適切な承認者によって、法律や医療技術等の観点から承認を受けたうえで、登録あるいは提供される必要がある。
【０００６】
しかし、従来のような管理システムにおいて、医療に関連するコンテンツの管理システムへの登録と登録されたコンテンツの提供とをユーザが自由に行えるようにすると、承認者等によって承認されていないコンテンツが登録され提供されてしまい、法律や医療技術の観点等からみて適切でないコンテンツが管理システムを介して流通してしまう可能性があるという問題があった。
【課題を解決するための手段】
【０００７】
本発明のコンテンツ管理装置は、コンテンツの提供者が利用する情報端末である１以上の提供者端末が送信するコンテンツを受信するコンテンツ受信部と、コンテンツ受信部が受信したコンテンツと、コンテンツの識別情報であるコンテンツ識別情報とを有する情報であるコンテンツ関連情報が格納されるコンテンツ格納部と、コンテンツ受信部が受信したコンテンツを含むコンテンツ関連情報を、コンテンツ格納部に蓄積するコンテンツ蓄積部と、コンテンツの要求者が利用する情報端末である１以上の要求者端末が送信する情報であって、コンテンツ識別情報と、コンテンツ識別情報に対応付けられたコンテンツの送信を要求する情報である送信要求情報とを有する情報であるコンテンツ要求情報を受信するコンテンツ要求情報受信部と、コンテンツの承認者が利用する情報端末である１以上の承認者端末が送信する情報であって、コンテンツ受信部が受信したコンテンツについての承認処理の結果を示す情報である承認結果を受信する承認結果受信部と、コンテンツ要求情報が要求するコンテンツが、承認されたコンテンツである場合に、コンテンツをコンテンツ格納部から読み出し、コンテンツ要求情報の送信元である要求者端末に送信するコンテンツ送信部と、を備えたコンテンツ管理装置である。
【０００８】
かかる構成により、承認が必要なコンテンツの登録と提供とを適切に管理することができる。
【０００９】
また、本発明のコンテンツ管理装置は、前記コンテンツ管理装置において、コンテンツ受信部が受信したコンテンツの承認を依頼する指示である承認指示を、１以上の承認者端末に送信する承認指示送信部を更に備え、承認結果受信部は、承認指示により承認を依頼されたコンテンツの承認結果を１以上の承認者端末から受信するコンテンツ管理装置である。
【００１０】
かかる構成により、受信したコンテンツの承認を依頼することができ、提供されるコンテンツについての承認を行うことができる。
【００１１】
また、本発明のコンテンツ管理装置は、前記コンテンツ管理装置において、承認指示送信部は、コンテンツ要求情報受信部がコンテンツ要求情報を受信した場合に、コンテンツ要求情報が示すコンテンツについての承認指示を送信するコンテンツ管理装置である。
【００１２】
かかる構成により、コンテンツ要求情報を受信した場合に承認を行うことが可能となり、要求されたコンテンツに対してだけ承認を行うことができるため、無駄な承認の処理を省略することができる。
【００１３】
また、本発明のコンテンツ管理装置は、前記コンテンツ管理装置において、承認指示送信部は、コンテンツ受信部がコンテンツを受信した場合に、コンテンツについての承認指示を送信するコンテンツ管理装置である。
【００１４】
かかる構成により、登録されるコンテンツに対して承認の処理を行うことができ、コンテンツの提供時に承認等を行う必要がなく、コンテンツの提供を迅速に行うことができる。
【００１５】
また、本発明のコンテンツ管理装置は、前記コンテンツ管理装置において、承認指示送信部は、予め指定された２以上の承認者端末に承認指示を送信し、コンテンツ送信部は、コンテンツ要求情報が要求するコンテンツについての、２以上の承認者端末が送信する承認結果の全てが、承認されたコンテンツであることを示す場合に、コンテンツをコンテンツ格納部から読み出し、コンテンツ要求情報の送信元に送信するコンテンツ管理装置である。
【００１６】
かかる構成により、承認の処理を複数の承認者端末に依頼することができ、承認の正確性を高めることができる。
【００１７】
また、本発明のコンテンツ管理装置は、前記コンテンツ管理装置において、承認結果受信部が受信した承認結果が、コンテンツが否認されたことを示す場合に、承認結果を示す情報を、コンテンツを送信した提供者端末に送信する否認情報送信部を更に備えたコンテンツ管理装置である。
【００１８】
かかる構成により、コンテンツが否認されたことを、このコンテンツを送信した提供者端末に知らせることができる。
【００１９】
また、本発明のコンテンツ管理装置は、前記コンテンツ管理装置において、コンテンツは、コンテンツの料金を示すコンテンツ料金情報と対応付けられており、承認結果の送信元となる承認者端末を利用する承認者に対して、承認結果が示す承認の対象となるコンテンツの料金の一部を支払う処理を行う会計処理部を更に備えたコンテンツ管理装置である。
【００２０】
かかる構成により、承認者に、承認の処理に伴う料金を与えることができる。
【００２１】
また、本発明のコンテンツ管理装置は、前記コンテンツ管理装置において、承認者端末を利用する承認者が承認の際に行った行為を示す情報である行為情報を取得する行為情報取得部を更に備え、会計処理部は、承認の対象となるコンテンツの料金のうちの、行為情報に応じて異なる料金を承認者に支払う処理を行うコンテンツ管理装置である。
【００２２】
かかる構成により、承認者が承認時に行った行為に応じた料金を承認者に支払うことができる。
【００２３】
また、本発明のコンテンツ管理装置は、前記コンテンツ管理装置において、コンテンツは、医療機関のマニュアルであるコンテンツ管理装置である。
【００２４】
かかる構成により、承認が必要なマニュアルの登録と提供とを適切に管理することができる。
【発明の効果】
【００２５】
本発明によるコンテンツ管理装置等によれば、承認が必要なコンテンツの登録と提供とを適切に管理することができる。
【図面の簡単な説明】
【００２６】
【図１】本発明の実施の形態におけるコンテンツ管理システムのブロック図
【図２】同コンテンツ管理装置の動作を示すフローチャート
【図３】同コンテンツ管理システムの概念図
【図４】同提供者端末２０のインターフェース画面の一例を示す図
【図５】同コンテンツの表示例を示す図
【図６】同コンテンツ関連情報管理表を示す図
【図７】同コンテンツの一覧の表示例を示す図
【図８】同承認先管理情報を示す図
【図９】同承認指示の一例を示す図
【図１０】同承認結果送信画面の一例を示す図
【図１１】同行為比率管理表を示す図
【図１２】同振込先管理情報を示す図
【図１３】同購入したコンテンツが送信可能となったことを示す表示例を示す図
【図１４】同コンピュータシステムの外観の一例を示す図
【図１５】同コンピュータシステムの構成の一例を示す図
【発明を実施するための形態】
【００２７】
以下、コンテンツ管理装置等の実施形態について図面を参照して説明する。なお、実施の形態において同じ符号を付した構成要素は同様の動作を行うので、再度の説明を省略する場合がある。
【００２８】
（実施の形態）
図１は、本実施の形態におけるコンテンツ管理システム１のブロック図である。
【００２９】
コンテンツ管理システム１は、コンテンツ管理装置１０、１以上の提供者端末２０、１以上の要求者端末３０、１以上の承認者端末４０を備える。コンテンツ管理システム１を構成する装置および各端末は、例えば、情報の送受信が可能となるようにネットワークや通信回線等を介して接続されている。なお、図１においては、説明の便宜上、提供者端末２０、要求者端末３０、および承認者端末４０がそれぞれ１つである場合を示しているが、これらの端末数は、それぞれ１以上であってもよい。
【００３０】
コンテンツ管理装置１０は、コンテンツ受信部１０１、コンテンツ格納部１０２、コンテンツ蓄積部１０３、コンテンツ要求情報受信部１０４、承認指示送信部１０５、承認結果受信部１０６、コンテンツ送信部１０７、否認情報送信部１０８、行為情報取得部１０９、および会計処理部１１０を備える。
【００３１】
提供者端末２０は、提供者格納部２０１、提供者送信部２０２、提供者受信部２０３、および提供者出力部２０４を備える。
【００３２】
要求者端末３０は、要求者入力受付部３０１、要求者送信部３０２、要求者受信部３０３、および要求者出力部３０４を備える。
【００３３】
承認者端末４０は、承認者受信部４０１、承認者出力部４０２、承認者入力受付部４０３、および承認者送信部４０４を備える。
【００３４】
コンテンツ受信部１０１は、１以上の提供者端末２０が送信するコンテンツを受信する。コンテンツとは、例えば、文字、音声、映像、地図などを電子化したデータや、ソフトウェアや、これらを組み合わせたものである。コンテンツ受信部１０１が受信するコンテンツは、例えば、医療機関のマニュアルである。医療機関とは、例えば、病院や医院や診療所等である。マニュアルとは、例えば、手引きや、便覧や、取扱説明書や、処理手順書等の情報である。医療機関のマニュアルとは、例えば、医療機関において行われる様々な処置の手順や、医療機器や医療器具や設備の操作方法を説明する情報等である。コンテンツ受信部１０１が受信するコンテンツは、例えば、配布や流通が行われるまでに承認が必要なコンテンツである。ただし、コンテンツ受信部１０１が受信した時点において、既に承認の処理が行われたものであるか否かは問わない。承認については、後述する。
【００３５】
コンテンツ受信部１０１は、コンテンツに加えて、更に、このコンテンツに関する情報を受信しても良い。コンテンツに関する情報とは、例えば、コンテンツのタイトルや、コンテンツのファイル名や、コンテンツの価格の情報や、コンテンツのジャンルを示す情報であるジャンル情報である。例えば、コンテンツが医療機関のマニュアルである場合、ジャンル情報は、マニュアルが対応する診療科（例えば、内科、外科、耳鼻咽喉科等）の情報であっても良い。また、ジャンル情報は、看護士用、医師用、放射線技師用、管理部門用等の、マニュアルを利用するユーザ層を示す情報であっても良い。また、ジャンル情報は、マニュアルが示す装置の種類等を示す情報であっても良い。
【００３６】
また、コンテンツ受信部１０１は、コンテンツに加えて、更に、このコンテンツの提供者に関する情報を受信しても良い。コンテンツの提供者に関する情報とは、例えば、コンテンツを送信した提供者端末２０の識別情報や、提供者端末２０を利用する提供者の識別情報である。提供者端末２０の識別情報は、例えば、提供者端末２０のＩＰアドレスやメールアドレス等のアドレス情報である。提供者の識別情報は、氏名や、社員番号等である。提供者の識別情報は、提供者のメールアドレス等であっても良い。提供者端末２０とは、コンテンツの提供者が利用する情報端末である。提供者端末２０については後述する。
【００３７】
また、コンテンツ受信部１０１は、コンテンツに加えて、更に、このコンテンツの識別情報であるコンテンツ識別情報を受信しても良い。コンテンツ識別情報は、コンテンツ同士を識別可能な情報であればよい。コンテンツ識別情報は、例えば、コンテンツに対して一意に割り当てられた文字列（数字も含む）である。また、上述したコンテンツのタイトルや、ファイル名を、コンテンツ識別情報としてもよい。なお、コンテンツ受信部１０１は、コンテンツを受信した際に、このコンテンツについてのコンテンツ識別情報を取得しても良い。
【００３８】
なお、コンテンツ受信部１０１は、コンテンツを有するコンテンツ関連情報を受信しても良い。コンテンツ関連情報については後述する。
【００３９】
コンテンツ受信部１０１は、通常、無線または有線の通信手段で実現されるが、放送を受信する手段で実現されても良い。コンテンツ受信部１０１は、通信デバイスを含むと考えても、含まないと考えても良い。なお、かかることは、他の受信部においても同様である。
【００４０】
コンテンツ格納部１０２には、コンテンツ受信部１０１が受信したコンテンツを含むコンテンツ関連情報が格納される。コンテンツ関連情報は、コンテンツ受信部１０１が受信したコンテンツと、このコンテンツの識別情報であるコンテンツ識別情報とを有する情報である。コンテンツ関連情報に含まれるコンテンツ識別情報は、コンテンツ受信部１０１がコンテンツとともに受信したコンテンツ識別情報であっても良いし、コンテンツ受信部１０１がコンテンツを受信した際に取得したコンテンツ識別情報であっても良いし、後述するコンテンツ蓄積部１０３が、コンテンツ受信部１０１が受信したコンテンツについて取得したコンテンツ識別情報であっても良い。
【００４１】
コンテンツ関連情報は、コンテンツおよびコンテンツ識別情報に加えて、さらに、上述したようなコンテンツ受信部１０１がコンテンツとともに受信したコンテンツに関する情報（タイトルや、ファイル名等）や、コンテンツの提供者に関する情報（提供者端末２０の識別情報や、提供者の識別情報等）を有していても良い。
【００４２】
なお、コンテンツ格納部１０２には、コンテンツ受信部１０１が受信したコンテンツをそれぞれ含む関連情報の全てが格納されなくても良い。例えば、コンテンツ受信部１０１が受信したコンテンツ関連情報は、一旦、図示しない記憶媒体等に蓄積されるようにし、蓄積されたコンテンツ関連情報のうちの、後述する承認結果受信部１０６で、承認されたことを示す承認結果を受け付けたコンテンツ関連情報のみが、後述するコンテンツ蓄積部等により、コンテンツ格納部１０２に蓄積されるようにしても良い。なお、コンテンツ関連情報は、コンテンツが承認されたものであるか否かを示す情報（以下、承認状況情報と称す）と対応付けて格納されても良い。
【００４３】
コンテンツ格納部１０２は、不揮発性の記録媒体が好適であるが、揮発性の記録媒体でも実現可能である。また、ここでの格納は、一時記憶も含む概念である。なお、かかることは、他の格納部においても同様である。
【００４４】
コンテンツ蓄積部１０３は、コンテンツ受信部１０１が受信したコンテンツを含むコンテンツ関連情報を、コンテンツ格納部１０２に蓄積する。例えば、コンテンツ蓄積部１０３は、コンテンツ受信部１０１が受信したコンテンツと、このコンテンツのコンテンツ識別情報と、を有するコンテンツ関連情報を蓄積する。このコンテンツ識別情報は、コンテンツ受信部１０１が、コンテンツとともに受信したコンテンツ識別情報であっても良いし、コンテンツ受信部１０１がコンテンツ受信時に取得したコンテンツ識別情報であってもよいし、コンテンツ蓄積部１０３が、コンテンツ関連情報を蓄積する際等に取得したコンテンツ識別情報であっても良い。また、コンテンツ蓄積部１０３は、コンテンツ受信部１０１がコンテンツとともに受信したコンテンツに関する情報（タイトルや、ファイル名等）や、コンテンツの提供者に関する情報（提供者端末２０の識別情報や、提供者の識別情報等）を更に有するコンテンツ関連情報を、コンテンツ格納部１０２に蓄積してもよい。また、コンテンツ受信部１０１がコンテンツ関連情報を受信する場合、コンテンツ蓄積部１０３は、このコンテンツ関連情報をコンテンツ格納部１０２に蓄積するようにしてもよい。
【００４５】
コンテンツ蓄積部１０３は、コンテンツ格納部１０２に関して説明したように、コンテンツ受信部１０１が受信した全てのコンテンツについてのコンテンツ関連情報を蓄積しなくても良い。コンテンツ蓄積部１０３は、コンテンツ関連情報と、コンテンツが承認されたものであるか否かを示す承認状況情報とを対応付けて蓄積しても良い。コンテンツ蓄積部１０３は、通常、ＭＰＵやメモリ等から実現され得る。コンテンツ蓄積部１０３の処理手順は、通常、ソフトウェアで実現され、当該ソフトウェアはＲＯＭ等の記録媒体に記録されている。但し、ハードウェア（専用回路）で実現しても良い。
【００４６】
コンテンツ要求情報受信部１０４は、１以上の要求者端末３０から送信されるコンテンツ要求情報を受信する。コンテンツ要求情報は、コンテンツ識別情報と、このコンテンツ識別情報に対応付けられたコンテンツの送信要求情報とを有する情報である。送信要求情報は、コンテンツの送信を要求する情報であり、例えば、送信を要求するクエリや命令等である。なお、コンテンツ識別情報が、送信要求情報としても機能する場合、コンテンツ識別情報が送信要求情報を兼用していると考えても良い。コンテンツ要求情報は、例えば、コンテンツ格納部１０２に格納されている１以上のコンテンツのダウンロードを要求する情報である。要求者端末３０は、コンテンツの要求者が利用する情報端末である。要求者端末３０については、後述する。
【００４７】
なお、コンテンツ要求情報は、要求者端末３０の識別情報、例えば、ＩＰアドレスやメールアドレス等のアドレス情報を、さらに有していても良い。また、この要求者端末３０を利用する要求者の識別情報（氏名や、社員番号等）や、要求者のクレジットカード番号等を、さらに有していても良い。なお、要求者のクレジットカード番号を、要求者の識別情報として用いても良い。
【００４８】
承認指示送信部１０５は、コンテンツ受信部１０１が受信したコンテンツの承認指示を、１以上の承認者端末４０に送信する。承認者端末４０とは、承認者が利用する情報端末である。承認者端末４０については後述する。承認指示は、コンテンツの承認を依頼する指示である。具体的には、１以上の承認者端末４０を利用する１以上の承認者に対して、コンテンツの承認を依頼する指示である。承認指示は、例えば、承認対象となるコンテンツの識別情報や、コンテンツの格納場所（例えばＵＲＩやＵＲＬ等）を有する情報である。また、承認指示は、承認対象となるコンテンツを有する情報であっても良い。承認指示は、例えば、承認を依頼することを示す、文字列や、画像の情報である。コンテンツ受信部１０１が受信したコンテンツとは、コンテンツ受信部１０１が受信したコンテンツであって、コンテンツ格納部１０２に蓄積される前のコンテンツであっても良いし、コンテンツ受信部１０１が受信してコンテンツ格納部１０２に蓄積したコンテンツであっても良い。コンテンツ格納部１０２に蓄積される前のコンテンツとは、コンテンツ受信部１０１が受信して、図示しない記憶媒体に蓄積された状態のコンテンツであっても良い。
【００４９】
ここでの承認とは、例えば、コンテンツが、法律や、ガイドラインや、規格や、コンテンツが利用される分野における技術上の留意点等の遵守すべき内容を満たしているか否かを判断することである。また、承認は、誤記や、明瞭でない点等があるか否かを判断することや、コンテンツが予め指定されたフォーマットに従ったものであるか否かを判断することを含むものであっても良い。承認されたということは、コンテンツが、承認者によって、上記の遵守すべき内容を満たしていることや、誤記や明瞭でない点等がないものであること等を認められたことである。例えば、コンテンツが、医療機関のマニュアルである場合、上記の遵守すべき内容とは、コンテンツが、医療に関する法律である医療関係法（例えば、医療法、医師法、薬剤師法、保健師助産師看護法や、薬事法等の法律及び法施行令、法施行規則等の規則・政令等）や、ガイドラインや、規格や、医療処置上あるいは医療技術上の留意点等である。承認されたコンテンツは、例えば、医療関係法上問題のない記載や、医療処置として正しく記載されているマニュアル等である。承認者とは、コンテンツについての承認を行う人である。例えば、コンテンツに対して承認を行う権限や、承認を行う資格、コンテンツの提供に責任を持つ責任者等を有するものである。例えば、コンテンツが、医療機関のマニュアルである場合、承認者は、医師や、医療機器の取扱資格を有する者等である。
【００５０】
承認指示送信部１０５は、図示しない記憶媒体等に予め格納されている承認指示の送信先となる１以上の承認者端末４０を識別する承認先識別情報を読み出し、当該承認先識別情報が示す承認者端末４０に承認指示を送信する。この図示しない記憶媒体をここでは、便宜上、承認先格納部と呼ぶ。承認先識別情報は、例えば、承認者端末４０のＩＰアドレスや、メールアドレス等のアドレス情報である。承認指示送信部１０５が読み出す１以上の承認先識別情報は、コンテンツ受信部１０１が受信したコンテンツの内容等に関係なく、予め指定されていても良い。あるいは、承認指示送信部１０５は、コンテンツ受信部１０１が受信したコンテンツに対するジャンルに応じた承認先識別情報を承認先格納部から読み出すようにしても良い。例えば、予め、承認先格納部に、複数の承認先識別情報を、ジャンル情報と対応付けて格納しておくようにし、承認指示送信部１０５は、コンテンツ受信部１０１が受信したコンテンツに対応付けられたジャンル情報に対応する１以上の承認先識別情報を、このコンテンツについての承認指示の送信先となる１以上の承認者端末４０を示す情報として取得するようにしてもよい。
【００５１】
承認指示送信部１０５は、例えば、コンテンツ要求情報受信部１０４が送信要求情報を受信した場合に、送信要求情報が示すコンテンツについての承認指示を送信する。この場合、後述するようにコンテンツ受信部１０１がコンテンツを受信した際に、承認指示を送信しないようにすることが好ましい。送信要求情報を受信した場合に送信することは、送信要求情報の受信、承認指示の送信を行うトリガーとすることであっても良い。このようにすることで、要求者端末３０から要求されたコンテンツについてだけ、適宜、承認の処理を行うことができ、要求されないコンテンツに対する無駄な承認の処理を省略できる。
【００５２】
また、承認指示送信部１０５は、コンテンツ受信部１０１がコンテンツを受信した場合に、このコンテンツについての承認指示を送信するようにしてもよい。即ち、コンテンツがコンテンツ管理装置１０にアップロードされる際に、このコンテンツについての承認指示を送信するようにしてもよい。コンテンツを受信した場合に送信することは、コンテンツの受信を、承認指示の送信を行うトリガーとすることであっても良い。このようにすることで、コンテンツ格納部１０２に格納されるコンテンツを、承認の処理を経たコンテンツにすることができる。
【００５３】
なお、コンテンツ受信部１０１がコンテンツを受信した際に承認指示送信部１０５が承認指示を送信するか、コンテンツ要求情報受信部１０４が送信要求情報を受信した際に承認指示送信部１０５が承認指示を送信するかを、コンテンツ提供者が選択できるようにしても良い。例えば、提供者端末２０が送信するコンテンツに、コンテンツ受信部１０１がコンテンツを受信した際に承認指示送信部１０５が承認指示を送信するか、コンテンツ要求情報受信部１０４が送信要求情報を受信した際に承認指示送信部１０５が承認指示を送信するかを指定する情報を対応付けるようにして、この情報に応じて、コンテンツごとに、承認指示送信部１０５が、上記のいずれの場合に承認指示を送信するか否かを判断するようにしても良い。
【００５４】
また、コンテンツ受信部１０１がコンテンツを受信した際に承認指示送信部１０５が承認指示を送信するか、コンテンツ要求情報受信部１０４が送信要求情報を受信した際に承認指示送信部１０５が承認指示を送信するかを、コンテンツの属性に応じて承認指示送信部１０５が判断するようにしても良い。コンテンツの属性とは、コンテンツのデータの種類や、コンテンツの内容を示す情報である。コンテンツの属性は、コンテンツに関する情報の属性であっても良い。コンテンツの属性は、例えば、コンテンツの提供者の属性であってもよい。コンテンツの属性は、コンテンツのジャンル情報であっても良い。例えば、コンテンツ受信部１０１は、コンテンツの提供者が属するグループに応じて、どのタイミングで承認指示を送信するか否かを判断するようにしても良い。また、コンテンツに含まれる、あるいはコンテンツに対応付けられているコンテンツの分類を示す文字列が、予め指定されている文字列である場合に、どのタイミングで承認指示を送信するか否かを判断するようにしても良い。また、コンテンツに対応付けられているジャンル情報に応じて、どのタイミングで承認指示を送信するか否かを判断するようにしても良い。
【００５５】
承認指示送信部１０５は、予め指定された２以上の承認者端末４０に承認指示を送信するようにしてもよい。この２以上の承認者端末４０は、上述したようなコンテンツのジャンルに応じた２以上の承認者端末でもよい。２以上の承認者端末４０をそれぞれ利用する承認者によって承認が行われることで、より正確にコンテンツについての承認を行うことが可能となる。
【００５６】
承認指示送信部１０５は、通常、無線または有線の通信手段で実現されるが、放送手段で実現されても良い。承認指示送信部１０５は、通信デバイスを含むと考えても、含まないと考えても良い。かかることは、他の送信部についても同様である。
【００５７】
承認結果受信部１０６は、１以上の承認者端末４０が送信する承認結果を受信する。具体的には、承認結果受信部１０６は、承認指示により承認を依頼されたコンテンツについての承認結果を１以上の承認者端末４０から受信する。承認結果は、コンテンツ受信部１０１が受信したコンテンツについての承認処理の結果を示す情報である。承認処理とは、コンテンツに対して１以上の承認者が行う処理であり、コンテンツを承認してよいか否かを判断する処理である。承認処理は、通常、人手で行われる処理である。承認者がコンテンツを修正して承認する処理も承認処理と考えてよい。また、コンテンツに対して修正の指示を出したうえで、その修正が行われることを条件に承認する処理も承認処理と考えても良い。承認結果は、例えば、承認指示により依頼されたコンテンツが、承認者により承認されたか否か（即ち、承認されたか、否認されたか）を示す情報である。また、承認結果は、承認の対象となったコンテンツの識別情報を含んでいてもよい。また、承認結果は、承認者の識別情報（氏名や、社員番号等）を有していても良い。承認者の識別情報は、上述した承認先識別情報であっても良い。なお、承認結果は、コンテンツ関連情報と対応付けてコンテンツ格納部１０２に蓄積されている、コンテンツが承認されたものであるか否認されたものであるかを管理するための情報（例えばフラグ情報）を、承認者による承認結果に応じた値に設定する指示であっても良い。例えば、承認の処理の結果、一のコンテンツが承認された場合、承認結果として、この一のコンテンツに対応するフラグ情報を、承認済であることを示す値で上書きする指示を、後述する承認者端末４０が送信しても良い。
【００５８】
なお、ここでは、承認者が、どのようにしてコンテンツ受信部１０１が受信したコンテンツについての承認の処理を行うかは問わない。例えば、少なくとも承認指示が示すコンテンツについては、承認指示を受信した承認者が承認者端末４０を用いることで、ネットワーク等を経由してコンテンツ格納部１０２から取得できるようにして、取得したコンテンツを、承認者が、承認者端末４０から出力させて承認のための検査等を行うようにすればよい。
【００５９】
なお、承認者が、承認の対象となるコンテンツに対して修正を行ったものを、承認者端末４０からコンテンツ管理装置１０に送信し、この修正されたコンテンツを承認結果受信部１０６が受信し、コンテンツ蓄積部１０３がこの修正されたコンテンツを修正前のコンテンツの修正版として、コンテンツ格納部１０２に蓄積するようにしても良い。この場合、承認結果受信部１０６が修正されたコンテンツの受信を、承認されたことを示す承認結果の受信と考えて良い。
【００６０】
なお、この場合、コンテンツ要求情報が示すコンテンツの修正版のコンテンツが、コンテンツ要求情報が示すコンテンツとして後述するコンテンツ送信部１０７等から要求者端末３０に送信されることとなる。なお、修正されたコンテンツをコンテンツ格納部１０２に蓄積する際には、修正前のコンテンツが削除されないよう、修正されたコンテンツを追記してもよい。修正前のコンテンツと、修正後のコンテンツとを比較して、差分を求めることで、修正箇所や、修正量が判断できるからである。また、修正されたコンテンツを蓄積する際に、修正前のコンテンツとの差分の情報（修正箇所や修正量の情報等を）を後述する行為情報取得部１０９が取得する場合、修正されたコンテンツで修正前のコンテンツを上書きするようにしても良い。また、承認者端末４０から送信される修正されたコンテンツが、修正前のコンテンツに対する修正の履歴の情報を有しているものである場合、この修正されたコンテンツで、修正前のコンテンツを上書きするようにしても良い。このようにすることで、修正されたコンテンツの、修正量等を示す情報を取得することが可能となる。
【００６１】
コンテンツ送信部１０７は、コンテンツ要求情報が要求するコンテンツが、承認されたコンテンツである場合に、コンテンツをコンテンツ格納部１０２から読み出し、コンテンツ要求情報の送信元である要求者端末３０に送信する。承認されたコンテンツとは、例えば、このコンテンツについて取得した承認結果が承認であることを示すコンテンツである。
【００６２】
また、コンテンツ送信部１０７は、例えば、コンテンツ要求情報が要求するコンテンツが承認されたコンテンツでない場合（即ち、否認されたコンテンツである場合）には、このコンテンツをコンテンツ要求情報の送信元である要求者端末３０に送信しない。
【００６３】
ここで、承認指示送信部１０５が送信指示を送信するタイミングと、コンテンツ格納部１０２に格納されるコンテンツ関連情報との組合せに関して場合分けをして、コンテンツ蓄積部１０３や承認結果受信部１０６や、コンテンツ送信部１０７の処理等について説明する。
【００６４】
（１）承認指示がコンテンツ要求情報を受信した場合に送信され、コンテンツ格納部１０２には、コンテンツ受信部１０１が受信したコンテンツ関連情報が、承認の処理がされずに、そのまま蓄積される場合。
【００６５】
例えば、上述したコンテンツ蓄積部１０３は、コンテンツ受信部１０１が受信したコンテンツを含むコンテンツ関連情報を、コンテンツ格納部１０２に蓄積する。そして、承認指示送信部１０５は、コンテンツ要求情報受信部１０４がコンテンツ要求情報を受信した場合に、このコンテンツ要求情報が示すコンテンツについての承認指示を出力する。そして、承認結果受信部１０６が、このコンテンツについての承認結果を受信したとする。
【００６６】
例えば、承認結果受信部１０６が受信した承認結果が承認であることを示す場合、コンテンツ送信部１０７は、この承認結果に含まれるコンテンツ識別情報が示すコンテンツをコンテンツ格納部１０２から読み出し、このコンテンツを要求するコンテンツ要求情報を送信した要求者端末３０に対して送信する。この要求者端末の宛先を指定する情報としては、コンテンツ要求情報に含まれる要求者端末の識別情報を用いるようにすればよい。あるいは、この要求者端末３０に対して、要求されたコンテンツが送信可能となったことを示す情報を送信するようにし、この情報の送信に応じて、要求者端末３０からコンテンツの送信を指示する情報を受信した場合に、コンテンツを送信するようにしても良い。要求されたコンテンツが送信可能となったことを示す情報は、例えば、要求されているコンテンツのＵＲＬ等であってもよいし、単に、コンテンツが送信可能となったことを伝える情報であっても良い。
【００６７】
例えば、承認結果受信部１０６が受信した承認結果が承認されなかったこと（即ち否認されたこと）を示す場合、コンテンツ送信部１０７は、この承認結果に含まれるコンテンツ識別情報が示すコンテンツを要求するコンテンツ要求情報を送信した要求者端末３０に対して、コンテンツの送信は行わない。なお、コンテンツの送信を行わない場合、コンテンツ要求情報を送信した要求者端末３０に対して、コンテンツが送信できないことを示す情報や、その理由（承認されていないこと等）を示す情報を送信しても良い。かかることは以下においても同様である。
【００６８】
なお、コンテンツ送信部１０７は、コンテンツ要求情報が要求するコンテンツについての、承認指示が２以上の承認者端末４０に送信される場合、２以上の承認者端末４０が送信する承認結果の全てが、承認されたコンテンツであることを示す場合にだけ、コンテンツをコンテンツ格納部１０２から読み出し、コンテンツ要求情報の送信元に送信するようにしてもよい。そして、少なくとも１以上が承認されなかったことを示す（即ち、否認されたことを示す）場合、コンテンツの送信を行わないようにしても良い。例えば、承認指示を２以上の承認者端末４０に対して送信する場合等において、２以上の承認者端末４０から送信される承認結果が、全て承認されたことを示す場合にのみ、総合的な承認結果が、承認されたことを示していると判断して、上述した承認結果が承認である場合の処理を行うようにし、商品結果の１以上が承認されていないことを示す場合、総合的な承認結果が、否認されていることを示していると判断して、上述した承認結果が否認である場合の処理を行うようにしても良い。かかることは、以下においても同様である。
【００６９】
（２）承認指示がコンテンツ要求情報を受信した場合に送信され、コンテンツ格納部１０２には、コンテンツ関連情報と、このコンテンツ関連情報のコンテンツが承認されたものであるか否かを示す承認状況情報とが対応付けて格納される場合。
【００７０】
例えば、上述したコンテンツ蓄積部１０３は、コンテンツ受信部１０１が受信したコンテンツ関連情報を、それぞれ、承認状況情報と対応付けてコンテンツ格納部１０２に蓄積する。ここで、対応付ける承認状況情報は、デフォルトでは、承認されていないことを示す値であるとする。そして、承認指示送信部１０５は、コンテンツ要求情報受信部１０４がコンテンツ要求情報を受信した場合に、このコンテンツ要求情報が示すコンテンツについての承認指示を出力する。そして、承認結果受信部１０６が、このコンテンツについての承認結果を受信したとする。
【００７１】
承認結果受信部１０６等は、承認結果受信部１０６が受信した承認結果に応じて、この承認結果が示すコンテンツに対応付けられた承認状況情報の値を更新する。例えば、一のコンテンツに対応する承認状況情報が、デフォルトである承認されていないことを示す値（例えば"０"等）である場合において、この一のコンテンツについての承認結果が、承認されたことを示す情報であった場合、この承認結果受信部１０６は、この承認状況情報の値を承認であることを示す値（例えば"１"等）に変更しても良い。また、承認結果が、否認であることを示す場合、この承認状況情報の値を更新しない。その後は、上記の（１）の場合と同様に、承認結果が承認であることを示す場合、コンテンツ送信部１０７は、この承認結果に含まれるコンテンツ識別情報が示すコンテンツをコンテンツ格納部１０２から読み出し、このコンテンツを要求するコンテンツ要求情報を送信した要求者端末３０に対して送信し、承認でなければ、送信しない。
【００７２】
なお、コンテンツ要求情報が示すコンテンツに対応する承認状況情報が、承認であることを示す値である場合には、承認指示送信部１０５が承認指示の送信を行わないようにして、このコンテンツを、コンテンツ送信部１０７が、コンテンツ要求情報を送信した要求者端末３０に対して送信するようにしてもよい。これにより、重複する承認の処理を防いで、処理の無駄を省くとともに、承認にかかる時間を短縮させることができる。
【００７３】
なお、承認が行われていない場合の承認状況情報の値と、承認が否認された場合の承認状況情報の値とを異なる値としてもよい。そして、承認が否認された場合、承認が行われていない場合の承認状況情報の値を、否認されたことを示す値に更新するようにしてもよい。このようにして、承認状況情報の値が、否認されたことを示す値であるコンテンツについては、承認指示を送信せず、コンテンツ送信部１０７からもコンテンツの送信を行わないようにすることで、重複する承認の処理を防いで、処理の無駄を省くとともに、承認にかかる時間を短縮させることができる。なお、コンテンツ格納部１０２に格納されているコンテンツが修正された場合、このコンテンツについての承認状況情報の値が、承認が行われていない場合の値にリセットされるようにしても良い。
【００７４】
（３）承認指示がコンテンツ関連情報を受信した場合に送信され、コンテンツ格納部１０２には、承認結果が承認されたことを示すコンテンツを含むコンテンツ関連情報だけが格納される場合。
【００７５】
例えば、上述したコンテンツ蓄積部１０３は、コンテンツ受信部１０１が受信したコンテンツ関連情報を、すぐにコンテンツ格納部１０２に蓄積せずに、図示しない記憶媒体等に一旦蓄積する。そして、承認指示送信部１０５は、このコンテンツ受信部１０１が受信したコンテンツについての承認指示を出力する。そして、承認結果受信部１０６が、このコンテンツについての承認結果を受信したとする。
【００７６】
コンテンツ蓄積部１０３は、承認結果受信部１０６が受信した承認結果が、承認されたことを示す場合、この承認結果に対応するコンテンツを含むコンテンツ関連情報を、図示しない記憶媒体から読み出し、コンテンツ格納部１０２に蓄積する。また、承認結果が、否認されたことを示す場合、この承認結果に対応するコンテンツを含むコンテンツ関連情報を図示しない記憶媒体から削除し、コンテンツ格納部１０２に蓄積しない。これにより、コンテンツ格納部１０２には、承認されたコンテンツだけが格納されることとなる。
【００７７】
そして、コンテンツ要求情報受信部１０４が受け付けたコンテンツ要求情報が示すコンテンツがコンテンツ格納部１０２に格納されている場合、コンテンツ送信部１０７が、このコンテンツをコンテンツ格納部１０２から読み出し、コンテンツ要求情報を送信した要求者端末３０に送信する。また、コンテンツ要求情報が示すコンテンツがコンテンツ格納部１０２に格納されていない場合、コンテンツ送信部１０７はコンテンツ要求情報を送信したコンテンツの送信を行わない。これにより、コンテンツ受信部１０１が受信したコンテンツのうちの、承認されたコンテンツだけが、コンテンツ格納部１０２から読み出されて、コンテンツ送信部１０７から送信されることとなる。
【００７８】
（４）承認指示がコンテンツ関連情報を受信した場合に送信され、コンテンツ格納部１０２には、コンテンツ関連情報と、このコンテンツ関連情報の承認状況情報とが対応付けて格納される場合。
【００７９】
例えば、上述したコンテンツ蓄積部１０３は、コンテンツ受信部１０１が受信したコンテンツ関連情報を、すぐにコンテンツ格納部１０２に蓄積せずに、図示しない記憶媒体等に一旦蓄積する。そして、承認指示送信部１０５は、このコンテンツ受信部１０１が受信したコンテンツについての承認指示を出力する。そして、承認結果受信部１０６が、このコンテンツについての承認結果を受信したとする。
【００８０】
コンテンツ蓄積部１０３は、承認結果受信部１０６が受信した承認結果が、承認されたことを示す場合、この承認結果に対応するコンテンツを含むコンテンツ関連情報を、図示しない記憶媒体から読み出し、承認されたコンテンツであることを示す承認状況情報と対応付けて、コンテンツ格納部１０２に蓄積する。また、承認結果受信部１０６が受信した承認結果が、否認されたことを示す場合、この承認結果に対応するコンテンツを含むコンテンツ関連情報を、図示しない記憶媒体から読み出し、否認されたコンテンツであることを示す承認状況情報と対応付けて、コンテンツ格納部１０２に蓄積する。
【００８１】
そして、コンテンツ要求情報受信部１０４が受け付けたコンテンツ要求情報が示すコンテンツが、承認されたことを示す状況情報と対応付けられたコンテンツであれば、コンテンツ送信部１０７が、このコンテンツをコンテンツ格納部１０２から読み出し、コンテンツ要求情報を送信した要求者端末３０に送信する。また、このコンテンツが、否認されたことを示す状況情報と対応付けられたコンテンツであれば、コンテンツ送信部１０７が、このコンテンツの送信は行わない。これにより、コンテンツ受信部１０１が受信したコンテンツのうちの、承認されたコンテンツだけが、コンテンツ格納部１０２から読み出されて、コンテンツ送信部１０７から送信されることとなる。また、否認されたコンテンツも一応コンテンツ格納部１０２に蓄積されるため、今後の参考や、修正の対象となるコンテンツとして用いることができる。
【００８２】
なお、本実施の形態においては、以下、上記の（１）において説明した処理を行う場合の例について説明を行うものとする。
【００８３】
否認情報送信部１０８は、承認結果受信部１０６の受信した承認結果が、コンテンツが否認されたことを示す場合に、承認結果を示す情報を、このコンテンツを送信した提供者端末２０に送信する。具体的には、承認対象となったコンテンツのコンテンツ識別情報を、例えば、承認結果等から取得し、取得したコンテンツ識別情報に対応づけられた提供者識別情報をコンテンツ関連情報から取得して、この提供者識別情報が示す提供者端末２０に承認結果を示す情報を送信する。例えば、提供者識別情報が提供者端末２０のメールアドレスである場合、このメールアドレスに承認結果を示す情報を送信する。否認情報送信部１０８が送信する承認結果を示す情報は、例えば、コンテンツが承認されなかった（否認された）ことを示す文字列や画像の情報である。なお、承認結果を示す情報は、承認結果であっても良い。
【００８４】
行為情報取得部１０９は、承認者端末４０を利用する承認者が承認の際に行った行為を示す情報である行為情報を取得する。行為情報とは、例えば、承認の際にコンテンツに対して修正を行ったことを示す情報である。また、行為情報は、承認の際の修正において、どのような修正を行ったかという情報や、修正量（修正された文字数等）や、修正時間等の情報であっても良い。行為情報取得部１０９は、どのように行為情報を取得しても良い。例えば、承認者端末４０が送信する承認結果に、修正量等の行為情報が含まれる場合、この行為情報を取得しても良い。また、承認結果が修正されたコンテンツを含む場合、このコンテンツと、修正前のコンテンツとを比較して差分を求めることで、修正量等の行為情報を取得しても良い。また、承認結果に含まれるコンテンツが修正の履歴を示す情報（どこをどのように修正したかを示す情報）を有するものである場合、この修正を示す履歴の情報から、修正量等の行為情報を取得しても良い。修正前のコンテンツとは、例えば、コンテンツ受信部１０１が受信した時点でのコンテンツである。
【００８５】
行為情報取得部１０９は、通常、ＭＰＵやメモリ等から実現され得る。行為情報取得部１０９の処理手順は、通常、ソフトウェアで実現され、当該ソフトウェアはＲＯＭ等の記録媒体に記録されている。但し、ハードウェア（専用回路）で実現しても良い。
【００８６】
会計処理部１１０は、承認結果の送信元となる承認者端末４０を利用する承認者に対して、この承認結果が示す承認の対象となるコンテンツの料金の一部を支払う処理を行う。コンテンツの料金とは、コンテンツに対応付けられた料金である。料金は、コンテンツごとに対応付けられていても良い。例えば、コンテンツ格納部１０２に格納されている各コンテンツ関連情報に、コンテンツの料金の情報が含まれていても良い。また、料金は、コンテンツごとに対応付けられていなくても良い。例えば、複数のコンテンツに対して一律の料金が対応付けられている場合も、各コンテンツに料金が対応付けられていることには代わりがないことから、この一律に設定されている料金を、コンテンツに対応付けられた料金と考えてもよい。例えば、全てのコンテンツが同一料金である場合、この同一の料金を示す情報を、各コンテンツの料金の情報と考えても良い。
【００８７】
コンテンツの料金の一部は、コンテンツの料金に対する予め指定された比率の料金であっても良いし、予め指定された一定の料金であっても良い。また、コンテンツの料金の金額に応じて段階的に変化する料金であっても良い。
【００８８】
会計処理部１１０は、承認の対象となるコンテンツの料金のうちの、行為情報に応じて異なる料金を承認者に支払う処理を行うようにしてもよい。つまり、上述したコンテンツの料金の一部を、行為情報に応じて決定しても良い。例えば、行為情報が示す修正量に応じて、承認者に支払う料金を決定しても良い。例えば、修正量と、コンテンツの料金とを変数とした支払う料金を算出する式を、例えば、図示しない記憶媒体等にあらかじめ用意しておくようにし、この式に、行為情報が示す修正量と、コンテンツの料金とを代入することで、支払う料金を算出してもよい。また、修正量の値の範囲と、支払う料金（あるいは、コンテンツの料金に対する支払う比率）とを対応付けた情報を、予め図示しない記憶媒体等に蓄積しておくようにして、この情報から、行為情報が示す修正量の値を含む修理量の範囲と対応付けられた支払う料金または比率を取得して、支払う料金を決定しても良い。これにより、承認者が修正を行った際に発生した作業量に応じた料金を、承認者に与えることができる。
【００８９】
会計処理部１１０が行う支払う処理とは、上記で取得したコンテンツの料金の一部を承認者に振り込む処理であっても良い。例えば、予め承認者の識別情報と、承認者の振込先の情報（氏名や、口座番号等）とを有する情報を、図示しない記憶媒体等に蓄積しておくようにし、この情報から、承認結果に含まれる承認者の識別情報と対応付けられた振込先の情報を取得して、この振込先の情報が示す振込先に、インターネット等を経由して、承認の対象となるコンテンツの料金の一部を振り込むようにしてもよい。また、コンテンツの料金の一部を振り込む代わりに、上記の振込先に対して承認の対象となるコンテンツの料金の一部を振り込む指示を、銀行や、決済代行サービス等を行う業者等のサーバ装置に送信するようにしても良い。
【００９０】
なお、会計処理部１１０は、コンテンツ送信部１０７が送信したコンテンツの料金を、コンテンツの送信先となる要求者端末３０を利用する要求者に対して課金する処理を行うようにしても良い。この場合、コンテンツ要求情報に含まれるクレジットカード番号や要求者の識別情報等を適宜利用してもよい。また、会計処理部１１０は、課金により要求者（即ち、コンテンツの購入者）から得られた金額を、コンテンツ送信部１０７から送信されたコンテンツの提供者に与える処理を行うようにしてもよい。また、この金額から、コンテンツ管理装置１０の利用料等の料金を差し引いた金額をコンテンツの提供者に送信するようにしてもよい。また、承認者にコンテンツの料金の一部が支払われている場合、この支払われている料金の残高を、提供者に支払う処理を行っても良い。また、この残高からコンテンツ管理装置１０の利用料等の料金を差し引いた金額をコンテンツの提供者に送信するようにしてもよい。なお、コンテンツの提供に伴う課金処理の詳細については、例えば、オンラインストア等の技術として公知の技術であるので、ここでは詳細な説明は省略する。
【００９１】
会計処理部１１０は、通常、ＭＰＵやメモリ等から実現され得る。会計処理部１１０の処理手順は、通常、ソフトウェアで実現され、当該ソフトウェアはＲＯＭ等の記録媒体に記録されている。但し、ハードウェア（専用回路）で実現しても良い。
【００９２】
提供者端末２０は、コンテンツの提供者が利用する情報端末である。コンテンツの提供者は、コンテンツの作成者であっても良い。情報端末は、例えば、コンピュータや、携帯電話、スマートフォン、ＰＤＡ、電子ブックリーダ等である。ここでの情報端末は、無線や有線によりネットワーク接続可能なものである。かかることは、以下の情報端末に関しても同様である。一の提供者端末２０は、一の提供者専用の情報端末であっても良いし、複数の提供者で利用可能な情報端末であっても良い。なお、一の提供者端末２０を、複数の提供者で利用する場合、一の提供者が提供者端末２０にログインしている間は、この提供者端末２０は、ログインしている提供者の利用する提供者端末２０と考えて良い。かかることは、以下の、要求者端末３０や、承認者端末４０等においても同様である。
【００９３】
提供者格納部２０１には、１以上のコンテンツが格納される。提供者格納部２０１に格納されるコンテンツは、例えば、提供者端末２０を利用する提供者が生成したコンテンツである。提供者格納部２０１には、更に、各コンテンツについての、上述したようなコンテンツに関する情報（タイトルや、ファイル名や、コンテンツの価格等）や、コンテンツの提供者に関する情報（提供者端末２０の識別情報や、提供者の識別情報等）が格納されていても良い。また、各コンテンツについてのコンテンツ識別情報が格納されていても良い。つまり、提供者格納部２０１には、上述したコンテンツ管理情報が格納されていても良い。
【００９４】
提供者送信部２０２は、提供者格納部２０１に格納されている１以上のコンテンツを、コンテンツ管理装置１０に送信する。例えば、提供者送信部２０２は、図示しない受付部等が提供者から受け付けた指示が示すコンテンツを送信する。また、コンテンツとともに、上述したような各コンテンツに関する情報や、コンテンツの提供者に関する情報を送信しても良い。また、コンテンツとともに、コンテンツについてのコンテンツ識別情報を送信するようにしても良い。また、コンテンツの代わりに、コンテンツを有するコンテンツ関連情報を送信しても良い。
【００９５】
提供者受信部２０３は、否認情報送信部１０８が送信する否認情報を受信する。
【００９６】
提供者出力部２０４は、提供者受信部２０３が受信した否認情報を出力する。ここでの出力とは、ディスプレイへの表示、プロジェクターを用いた投影、プリンタへの印字、音出力、外部の装置への送信、記録媒体への蓄積、他の処理装置や他のプログラムなどへの処理結果の引渡しなどを含む概念である。提供者出力部２０４は、ディスプレイやスピーカー等の出力デバイスを含むと考えても含まないと考えても良い。提供者出力部２０４は、出力デバイスのドライバーソフトまたは、出力デバイスのドライバーソフトと出力デバイス等で実現され得る。かかることは、他の出力部においても同様である。
【００９７】
要求者端末３０は、コンテンツの要求者が利用する情報端末である。コンテンツの要求者は、コンテンツの購入者であっても良い。
【００９８】
要求者入力受付部３０１は、コンテンツ管理装置１０に格納されているコンテンツの取得を要求する情報を、要求者から受け付ける。コンテンツの取得を要求する情報は、取得対象となるコンテンツを指定する情報、例えば、コンテンツの識別情報を含む情報である。コンテンツの取得を要求する情報の入力手段は、テンキーやキーボードやマウスやメニュー画面によるもの等、何でも良い。要求者入力受付部３０１は、テンキーやキーボード等の入力手段のデバイスドライバーや、メニュー画面の制御ソフトウェア等で実現され得る。かかることは、他の受付部においても同様である。なお、要求者入力受付部３０１は、承認されたコンテンツの送信を要求する情報の入力をさらに受け付けるようにしても良い。
【００９９】
要求者送信部３０２は、コンテンツ要求情報をコンテンツ管理装置１０に送信する。要求者送信部３０２は、例えば、要求者入力受付部３０１が受け付けたコンテンツの取得を要求する情報に含まれるコンテンツを指定する情報が示すコンテンツを要求するコンテンツ要求情報を送信する。例えば、コンテンツの取得を要求する情報に含まれるコンテンツ識別情報を含むコンテンツ要求情報を送信する。また、要求者送信部３０２は、承認されたコンテンツを要求する情報をコンテンツ管理装置１０に送信しても良い。
【０１００】
要求者受信部３０３は、要求者送信部３０２が送信するコンテンツ要求情報に応じて、コンテンツ送信部１０７が送信するコンテンツを受信する。また、要求者受信部３０３は、コンテンツ管理装置１０が、コンテンツ格納部１０２に格納されているコンテンツを示す情報、例えばコンテンツのリストを送信するようにして、要求者受信部３０３は、このコンテンツを示す情報を受信しても良い。
【０１０１】
要求者出力部３０４は、要求者受信部３０３が受信したコンテンツを出力する。また、要求者受信部３０３が受信したコンテンツのリスト等のコンテンツ格納部１０２に格納されているコンテンツを示す情報を出力しても良い。
【０１０２】
承認者端末４０は、承認者の利用する情報端末である。
【０１０３】
承認者受信部４０１は、コンテンツ管理装置１０の承認指示送信部１０５が送信する承認指示を受信する。また、承認指示が示すコンテンツを、承認の対象として受信しても良い。例えば、承認指示が承認対象となるコンテンツのＵＲＬを有する場合、このＵＲＬが示すコンテンツを要求する情報を、後述する承認者送信部４０４等からコンテンツ管理装置１０に送信し、この要求する情報に応じてコンテンツ管理装置１０のコンテンツ送信部１０７等が送信するコンテンツを承認者受信部４０１が受信しても良い。
【０１０４】
承認者出力部４０２は、承認者受信部４０１が受信した承認指示を出力する。また、承認者受信部４０１が受信したコンテンツを承認の処理に利用するために出力しても良い。
【０１０５】
承認者入力受付部４０３は、承認者による承認結果と、この承認結果を送信する指示の入力を受け付ける。また、承認対象となるコンテンツの送信を要求する指示の入力を受け付けても良い。また、承認の処理の際に修正したコンテンツを送信する指示を受け付けても良い。
【０１０６】
承認者送信部４０４は、承認結果をコンテンツ管理装置１０に送信する。また、承認の対象となるコンテンツの送信を要求する情報をコンテンツ管理装置１０に送信する。また、承認の際に修正したコンテンツをコンテンツ管理装置１０に送信するようにしても良い。
【０１０７】
なお、図示しないが、承認者端末４０は、コンテンツに対する修正の指示を受け付けるための処理部や、この修正の指示に応じてコンテンツを修正する処理部等を備えていてもよい。
【０１０８】
図２は、本実施の形態のコンテンツ管理装置１０の動作を示すフローチャートである。以下、図２を用いて動作について説明する。
【０１０９】
（ステップＳ１０１）コンテンツ受信部１０１は、コンテンツを受信したか否かを判断する。コンテンツ受信部１０１は、例えば、コンテンツとともに、例えば、提供者送信部２０２の識別情報（ＩＰアドレスやメールアドレス）等のコンテンツの提供者に関する情報や、コンテンツのジャンル情報や価格等のコンテンツに関する情報とを受信する。受信した場合、ステップＳ１０２に進み、受信していない場合、ステップＳ１０３に進む。
【０１１０】
（ステップＳ１０２）コンテンツ蓄積部１０３は、ステップＳ１０１で受信したコンテンツを含むコンテンツ関連情報を、コンテンツ格納部１０２に蓄積する。例えば、ステップＳ１０１で受信したコンテンツと、このコンテンツとともに受信した提供者送信部２０２の識別情報等のコンテンツの提供者に関する情報と、ジャンル情報やコンテンツの家格等のコンテンツに関する情報と、このコンテンツのコンテンツ識別情報とを含むコンテンツ関連情報を蓄積する。コンテンツ識別情報は、例えば、コンテンツの取得された順番や蓄積された順番等に応じて取得されたものであっても良いし、コンテンツ受信部１０１がコンテンツとともに受信したものであっても良い。そして、ステップＳ１０１に戻る。
【０１１１】
（ステップＳ１０３）コンテンツ要求情報受信部１０４は、コンテンツ要求情報を受信したか否かを判断する。ここで受信するコンテンツ要求情報は、例えば、要求者端末３０の識別情報（ＩＰアドレスや、メールアドレス）を有するコンテンツ要求情報である。受信した場合、コンテンツ要求情報を、図示しない記憶媒体に蓄積し、ステップＳ１０４に進み、受信していない場合、ステップＳ１０５に進む。
【０１１２】
（ステップＳ１０４）承認指示送信部１０５は、ステップＳ１０３で受け付けたコンテンツ要求情報が示すコンテンツに対応した承認先識別情報を取得し、この承認先識別情報が示す承認者端末４０に、コンテンツの承認指示を送信する。そして、ステップＳ１０１に戻る。
【０１１３】
（ステップＳ１０５）承認結果受信部１０６は、承認結果を受信したか否かを判断する。承認結果を受信した場合、ステップＳ１０６に進み、受信していない場合、ステップＳ１１４に進む。
【０１１４】
（ステップＳ１０６）コンテンツ送信部１０７は、承認結果が、コンテンツが承認されたことを示しているか否かを判断する。コンテンツが承認されたことを示す場合、ステップＳ１０７に進み、承認されなかったことを示す場合、ステップＳ１１３に進む。
【０１１５】
（ステップＳ１０７）コンテンツ蓄積部１０３は、承認結果受信部１０６が修正されたコンテンツを受信したか否かを判断する。修正されたコンテンツを受信した場合、ステップＳ１０８に進み、受信していない場合、ステップＳ１０９に進む。
【０１１６】
（ステップＳ１０８）行為情報取得部１０９は、修正前のコンテンツに対する修正されたコンテンツの差分を取得する。
【０１１７】
（ステップＳ１０９）行為情報取得部１０９は、行為情報を取得する。例えば、ステップＳ１０８で差分が取得された場合、行為情報取得部１０９は、この差分について、修正された文字数をカウントすることで、承認者が修正した文字数の情報を行為情報として取得する。また、修正したコンテンツが蓄積されていない場合には、コンテンツの修正を行わずに承認の処理が行われたことを示す行為情報を取得しても良い。
【０１１８】
（ステップＳ１１０）コンテンツ蓄積部１０３は、修正後のコンテンツで、修正前のコンテンツを更新する。例えば、上書きする。なお、修正前のコンテンツは、削除せずに残しておくようにしても良い。
【０１１９】
（ステップＳ１１１）会計処理部１１０は、行為情報に応じた料金を算出し、この料金を、承認者に対して支払う処理を行う。例えば、ステップＳ１１０で取得した行為情報が、承認者の修正した文字数である場合、予め図示しない記憶媒体等に蓄積されている文字の修正量の値の範囲と、コンテンツの料金に対する支払う料金の比率とを対応付けた情報から、行為情報が示す文字数に対応した比率を取得する。そして、この比率を、コンテンツの料金に乗算することで、支払う料金を算出する。そして、この料金を、承認者に対して支払う処理を行う。また、例えば、行為情報が、コンテンツの修正を行わずに承認の処理を行ったことを示す値である場合、予め指定されているコンテンツの料金に対する支払う料金の比率を取得し、この比率を、コンテンツの料金に乗算することで、支払う料金を算出し、料金を承認者に支払う処理を行う。
【０１２０】
（ステップＳ１１２）コンテンツ送信部１０７は、承認結果が示すコンテンツについての送信が許可されたことを示す情報を、このコンテンツを要求するコンテンツ要求情報を送信した要求者端末３０に対して送信する。例えば、コンテンツ送信部１０７は、コンテンツの送信が許可されたことを示す情報として、送信が許可されたコンテンツの送信を要求するためのＵＲＬ等の情報を送信する。そして、ステップＳ１０１に戻る。
【０１２１】
（ステップＳ１１３）否認情報送信部１０８は、ステップＳ１０５で受け付けた承認結果が示すコンテンツを送信した提供者端末２０に対して、承認結果を示す情報を送信する。この情報は、コンテンツが承認されなかったことを示す情報である。そして、ステップＳ１０１に戻る。
【０１２２】
（ステップＳ１１４）コンテンツ要求情報受信部１０４は、承認結果によって送信が許可されたコンテンツの送信を要求する情報を受信したか否かを判断する。例えば、ステップＳ１１２において送信したＵＲＬ等を受信したか否かを判断し、受信した場合、送信が許可されたコンテンツの送信を要求する情報を受信したと判断してよい。受信した場合、ステップＳ１１５に進み、受信していない場合、ステップＳ１０１に戻る。
【０１２３】
（ステップＳ１１５）コンテンツ送信部１０７は、ステップＳ１１４で受信したコンテンツの送信を要求する情報を送信した要求者端末３０に対して、このコンテンツを送信する。そして、ステップＳ１０１に戻る。
【０１２４】
なお、図２のフローチャートにおいて、電源オフや処理終了の割り込みにより処理は終了する。
【０１２５】
次に、提供者端末２０の主要な動作について簡単に説明する。
【０１２６】
提供者送信部２０２は、図示しない受付部等が提供者格納部２０１に格納されているコンテンツを送信する指示を受け付けたか否かを繰り返し判断し、受け付けた場合に、コンテンツをコンテンツ管理装置１０に送信する。このコンテンツに加えて、例えば、提供者端末２０の識別情報（ＩＰアドレスやメールアドレス）等のコンテンツの提供者に関する情報や、コンテンツのジャンル情報やコンテンツの価格等のコンテンツに関する情報を送信しても良い。これらのコンテンツに関する情報や、コンテンツについての情報は、提供者格納部２０１に、コンテンツと対応付けて格納されているものであっても良いし、提供者から、図示しない受付部等を介して受け付けたものであっても良い。また、提供者受信部２０３は、コンテンツが否認されたことを示す承認結果を示す情報を受信したか否かを繰り返し判断する。そして、受信した場合、提供者出力部２０４が承認結果を出力する。
【０１２７】
次に、要求者端末３０の主要な動作の一例について簡単に説明する。
【０１２８】
要求者入力受付部３０１は、コンテンツ要求情報を受け付けたか否かを繰り返し判断し、受け付けた場合、要求者送信部３０２は、コンテンツ要求情報をコンテンツ管理装置１０に送信する。また、要求者受信部３０３は、コンテンツ要求情報が示すコンテンツを受信したか否かを判断し、受信した場合、要求者出力部３０４は、受信したコンテンツを出力する。なお、要求者受信部３０３は、コンテンツ要求情報が示すコンテンツが、承認結果によって送信可能となったことを示す情報を、コンテンツ管理装置１０のコンテンツ送信部１０７等から受信し、このコンテンツの送信を要求する指示の入力を、要求者から要求者入力受付部３０１が受け付けた場合に、要求者送信部３０２が、このコンテンツの送信を要求する情報をコンテンツ管理装置１０に送信し、この情報に応じてコンテンツ送信部１０７が送信するコンテンツを要求者受信部３０３が受信するようにしても良い。
【０１２９】
次に、承認者端末４０の主要な動作の一例について簡単に説明する。
【０１３０】
承認者受信部４０１は、承認指示を受け付けたか否かを繰り返し判断し、受信した場合、承認者出力部４０２は、承認指示を出力する。承認者入力受付部４０３は、承認結果と、この承認結果を送信する指示とを受け付けたか否かを繰り返し判断し、これらを受け付けた場合に、承認者送信部４０４が、この承認結果を、コンテンツ管理装置１０に送信する。なお、承認者入力受付部４０３が、承認対象となるコンテンツを要求する指示を、承認者から受け付けた場合に、承認者送信部４０４が、コンテンツを要求する情報をコンテンツ管理装置１０に送信し、この情報に応じて、コンテンツ管理装置１０から送信されたコンテンツを、承認者受信部４０１が受信し、承認者出力部４０２が出力するようにしても良い。また、このコンテンツが修正されたコンテンツを、コンテンツ管理装置１０に送信する指示を承認者入力受付部４０３が受け付けた場合、承認者送信部４０４は、修正したコンテンツをコンテンツ管理装置１０に送信するようにしても良い。
【０１３１】
以下、本実施の形態におけるコンテンツ管理システム１の具体的な動作について説明する。コンテンツ管理システム１の概念図は図３である。ここでは、一例として、コンテンツ管理システム１は、コンテンツ管理装置１０と、２以上の提供者端末２０（２０ａ、２０ｂ等）と、２以上の要求者端末３０（３０ａ、３０ｂ等）と、２以上の承認者端末４０（４０ａ、４０ｂ等）とを備えており、これらは、インターネットを介して通信可能に接続されているものとする。このコンテンツ管理システム１が取り扱うコンテンツは、医療機関におけるマニュアルであるとする。
【０１３２】
図４は、提供者端末２０の図示しないモニタ等に表示されるコンテンツを送信する際に用いられるインターフェース画面を示す図である。
【０１３３】
まず、提供者端末２０ａを利用する提供者Ａが、血糖値測定の手順についてのマニュアルであるコンテンツを、コンテンツ管理装置１０に送信（アップロード）しようとして、提供者端末２０ａに、図４のようなインターフェース画面を表示し、提供者格納部２０１に格納されているコンテンツのうちの、送信対象となるコンテンツをファイル名「ｂｌｏｏｄ０１」を用いて指定するとともに、コンテンツのタイトルである「血糖値測定マニュアル」と、コンテンツの販売価格である「１０００円」と、コンテンツのジャンルである「内科」とを入力したとする。そして、送信ボタン４１を、マウス等を操作して押したとする。提供者Ａは、例えば、看護士であるとする。
【０１３４】
図５は、ファイル名が「ｂｌｏｏｄ０１」であるコンテンツの表示例を示す図である。
【０１３５】
提供者端末２０ａの提供者送信部２０２は、ファイル名が「ｂｌｏｏｄ０１」であるコンテンツ（以下、コンテンツ「ｂｌｏｏｄ０１」と称す）を提供者格納部２０１から読み出し、予め提供者格納部２０１に格納されている提供者のメールアドレス「ｕｓｅｒＡ＠ｈｏｓｐｉｔａｌ…」と、上記で受け付けたタイトル「血糖値測定マニュアル」と、販売価格「１０００円」と、ジャンル情報「内科」とを、コンテンツ管理装置１０に送信する。提供者のメールアドレスは、ここでは、提供者端末２０ａの識別情報と提供者の識別情報とを兼用しているものであるとする。
【０１３６】
コンテンツ受信部１０１は、提供者端末２０ａから送信されるコンテンツ「ｂｌｏｏｄ０１」と、提供者のメールアドレス「ｕｓｅｒＡ＠ｈｏｓｐｉｔａｌ…」と、上記で受け付けたタイトル「血糖値測定マニュアル」と、販売価格「１０００円」と、ジャンル情報「内科」とを受信する。
【０１３７】
コンテンツ蓄積部１０３は、コンテンツ受信部１０１が受信したコンテンツについて、予め指定されたルール等に従ってコンテンツ識別情報を取得する。例えば、予め指定されたルールが、コンテンツの受信順番であったとし、ここでは、「０００１２５」というコンテンツ識別情報を取得したとする。コンテンツ蓄積部１０３は、このコンテンツ識別情報「０００１２５」と、提供者のメールアドレス「ｕｓｅｒＡ＠ｈｏｓｐｉｔａｌ…」と、コンテンツ受信部１０１が受信したコンテンツ「ｂｌｏｏｄ０１」と、タイトル「血糖値測定マニュアル」と、販売価格「１０００円」と、ジャンル情報「内科」と、を有するコンテンツ関連情報を、コンテンツ格納部１０２に蓄積する。
【０１３８】
図６は、コンテンツ格納部１０２に格納されているコンテンツ関連情報を管理するコンテンツ関連情報管理表を示す図である。コンテンツ関連情報管理表は、「コンテンツＩＤ」、「コンテンツ」、「タイトル」、「価格」、「ジャンル」、「提供者ＩＤ」という項目を有してる。「コンテンツＩＤ」はコンテンツ識別情報である。「コンテンツ」はコンテンツであり、ここではコンテンツをファイル名で示しているものとする。「タイトル」はコンテンツのタイトル、「価格」はコンテンツの価格である。「ジャンル」はコンテンツのジャンル情報であり、ここでは、ジャンル情報は、コンテンツであるマニュアルの内容に関連した診療科名（例えば、内科、外科等）を示すものとする。「提供者ＩＤ」は提供者の識別情報であり、提供者端末２０の識別情報も兼用しているものとする。「提供者ＩＤ」は、ここでは、提供者のメールアドレスであるとする。
【０１３９】
要求者端末３０ａを利用する要求者Ｂが、コンテンツ管理装置１０にどのようなコンテンツが管理されているかを知りたいと考え、要求者端末３０ａに対して、図示しない入力デバイス等を用いて、コンテンツ管理装置１０にコンテンツの一覧を要求するための操作を行うと、要求者入力受付部３０１は、コンテンツの一覧の送付を要求する指示を受け付け、この指示の受け付けに応じて要求者送信部３０２は、コンテンツ管理装置１０に対して、コンテンツの一覧を送付する指示を送信する。要求者Ｂは、ここでは看護士であるとする。
【０１４０】
コンテンツ管理装置１０のコンテンツ要求情報受信部１０４が、このコンテンツの一覧の送信を要求する指示を受け付けると、コンテンツ送信部１０７は、コンテンツ格納部１０２に格納されているコンテンツの一覧を表示するための情報（例えばＨＴＭＬファイル等）を生成して、要求者端末３０ａに送信する。
【０１４１】
要求者端末３０ａの要求者受信部３０３がコンテンツの一覧を表示するための情報を受け付け、要求者出力部３０４は、この情報を用いてコンテンツの一覧を図示しないモニタ等に表示する。
【０１４２】
図７は、コンテンツ管理装置１０のコンテンツ格納部１０２に格納されているコンテンツの一覧の表示例を示す図である。
【０１４３】
ここで、図７に示した表示画面を見た要求者Ｂが、「コンテンツＩＤ」が「０００１２５」で「タイトル」が「血糖値測定マニュアル」で、「価格」が「１０００円」であるマニュアル（コンテンツ）を購入したいと考えて「購入」ボタン７１を、マウス等を操作して押したとすると、購入者のメールアドレスと購入に利用されるクレジットカード番号等を入力する画面（図示せず）が表示され、をこの画面に要求者Ｂのメールアドレス「ｕｓｅｒＢ＠ｈｏｓｐｉｔａｌ…」と要求者Ｂのクレジット番号等のクレジットカードでの商品の購入に必要な情報を入力すると、要求者入力受付部３０１は、「コンテンツＩＤ」が「０００１２５」であるコンテンツを購入する指示を受け付ける。要求者送信部３０２は、「コンテンツＩＤ」が「０００１２５」であるコンテンツを購入する指示を、上記で受け付けた要求者Ｂのメールアドレス「ｕｓｅｒＢ＠ｈｏｓｐｉｔａｌ…」とクレジットカード番号等と対応付けて、コンテンツ管理装置１０に送信する。このメールアドレスは、要求者Ｂの識別情報と考えても良いし、要求者Ｂが利用する要求者端末３０ａの識別情報と考えても良い。ここで、要求者送信部３０２から送信される「コンテンツＩＤ」が「０００１２５」であるコンテンツを購入する指示と、要求者Ｂのメールアドレスと、クレジットカード番号等が、コンテンツ要求情報であるとする。
【０１４４】
コンテンツ管理装置１０のコンテンツ要求情報受信部１０４が、要求者端末３０ａから送信されるコンテンツＩＤが「０００１２５」であるコンテンツの購入を要求するコンテンツ要求情報を受信すると、このコンテンツ要求情報を、図示しない記憶媒体に蓄積する。
【０１４５】
図８は、コンテンツ管理装置１０の図示しない承認先格納部に予め格納されている、承認先識別情報を管理する承認先管理情報を示す図である。承認先管理情報は、「ジャンル」と、「承認先ＩＤ」とを有している。「ジャンル」は、ジャンル情報である。「承認先ＩＤ」は、承認先識別情報であり、ここでは、承認指示の送信先となる承認者端末４０のメールアドレスであるとする。なお、承認先識別情報は、承認指示の送信先となる承認者の識別情報と考えてもよい。
【０１４６】
承認指示送信部１０５は、コンテンツ要求情報に含まれるコンテンツＩＤ「０００１２５」を取得し、コンテンツＩＤが「０００１２５」であるコンテンツの承認を指示する承認指示の送信先となる承認者端末４０を示す承認先識別情報を取得する。具体的には、承認指示送信部１０５は、図６に示したコンテンツ関連情報管理表において、コンテンツＩＤが「０００１２５」であるレコードを検出し、そのレコードの「ジャンル」の値「内科」を取得する。即ち、コンテンツ識別情報「０００１２５」を含むコンテンツ関連情報のジャンル情報である「内科」を取得する。そして、図８に示した承認先管理情報において、「ジャンル」が「内科」であるレコードの「承認先ＩＤ」である「ｄｏｃｔｏｒ０１＠ｈｏｓｐｉｔａｌ…」を取得する。そして、この承認先ＩＤ「ｄｏｃｔｏｒ０１＠ｈｏｓｐｉｔａｌ…」が示す承認先に対して、コンテンツＩＤが「０００１２５」であるコンテンツの承認を指示する承認指示を送信する。ここでは承認先ＩＤが、承認先となる承認者端末４０のメールアドレスであり、承認指示送信部１０５は、このメールアドレスに対して承認指示を送信する。このメールアドレスは、ここでは、承認者端末４０ａのメールアドレスであり、承認者端末４０ａを利用する承認者をここでは承認者Ｃとする。ここで送信する承認指示は、コンテンツ格納部１０２に格納されているコンテンツＩＤが「０００１２５」であるコンテンツに対するＵＲＬを有するものとする。なお、ここでは、承認者は、各ジャンル情報が示す診療科の医師の責任者であるとする。
【０１４７】
承認者端末４０ａの承認者受信部４０１は、コンテンツ識別情報が「０００１２５」であるコンテンツの承認指示を受信する。承認者出力部４０２は、承認者受信部４０１が受信した承認指示を出力、ここでは、図示しないモニタに表示する。
【０１４８】
図９は、承認者端末４０ａの図示しないモニタに表示された承認指示の一例を示す図である。
【０１４９】
ここで、承認者Ｃが、図９のＵＲＬから、「コンテンツＩＤ」が「０００１２５」であり、「ファイル名」が「ｂｌｏｏｄ０１」であるコンテンツを取得（ダウンロード）し、このコンテンツをモニタ等に表示して、内容のチェックと、医療関係法の観点から見て不備のある記載等についての部分的な修正を行い、修正したコンテンツが承認可能であると判断したとする。
【０１５０】
図１０は、コンテンツの承認結果を送信するための承認結果送信画面の一例を示す図である。
【０１５１】
承認者Ｃが、承認者端末４０ａに図１０に示すような承認結果送信画面を表示させ、承認する旨のチェックボックスにチェックを入れるとともに、承認するコンテンツの「コンテンツＩＤ」の入力欄１２に、「０００１２５」を入力し、修正したコンテンツのファイル名を指定する欄に、修正したコンテンツのファイル名「ｂｌｏｏｄ０１」を指定して、「送信」ボタン１４を押したとする。なお、修正したコンテンツのファイル名は、修正前のコンテンツのファイル名と同じものとしても良いし、異なるものとしても良い。
【０１５２】
「送信」ボタン１４が押されると、承認者（あるいは承認者端末４０）の識別情報（ここでは、メールアドレス）を入力する画面（図示せず）が表示され、ここで、メールアドレス「ｄｏｃｔｏｒ０１＠ｈｏｓｐｉｔａｌ…」を入力すると、承認者端末４０ａの承認者入力受付部４０３は、「コンテンツＩＤ」が「０００１２５」であるコンテンツが承認されたことを示す承認結果と、承認された修正後のコンテンツのファイル「ｂｌｏｏｄ０１」とを受け付ける。なお、この承認結果は、承認者Ｃのメールアドレスを承認者の識別情報として有するものであるとする。そして、承認者送信部４０４は、受け付けた承認結果と、修正後のコンテンツのファイルとを、コンテンツ管理装置１０に送信する。送信される承認結果は、例えば、「コンテンツＩＤ：０００１２５；承認結果：承認；承認者ＩＤ：ｄｏｃｔｏｒ０１＠ｈｏｓｐｉｔａｌ…」等の情報であるとする。
【０１５３】
コンテンツ管理装置１０の承認結果受信部１０６は、承認者端末４０ａから送信される「コンテンツＩＤ」が「０００１２５」であるコンテンツについての承認結果と、修正されたコンテンツとを受信する。コンテンツ送信部１０７は、受信した承認結果から、「コンテンツＩＤ」が「０００１２５」であるコンテンツが承認されたと判断する。コンテンツ蓄積部１０３は、修正されたコンテンツを承認結果受信部１０６が受信したか否かを判断する。ここでは、修正されたコンテンツを受信したと判断される。このため、行為情報取得部１０９は、承認結果から、承認の対象となった「コンテンツＩＤ」である「０００１２５」を取得し、修正前のこのコンテンツを、コンテンツ格納部１０２から読み出す。そして、修正前のコンテンツと、受信した修正後のコンテンツとの差分を求める。ここでは、一例として文字の差分だけを取得する。例えば、増減した文字列を検出して取得する。コンテンツ同士の差分を求める技術は公知の技術であるので、ここでは説明を省略する。例えば、ここでは、いくつかの文字列が、追加されたり、削除されたりしていたとすると、行為情報取得部１０９は、削除された部分と、追加された部分とを取得する。承認結果受信部１０６は、取得した差分を用いて行為情報を取得する。具体的には、追加された文字数や削除された文字数等をカウントした値を行為情報として取得する。例えば、仮に、追加された文字数と削除された文字数との合計が５０文字であったとすると、「５０」という５０文字修正がされたことを示す行為情報を取得する。なお、修正されたコンテンツを受信していない場合、上記のような差分の取得は行われず、「０」という、承認の処理だけが行われたことを示す行為情報が取得される。
【０１５４】
コンテンツ蓄積部１０３は、差分の取得後、修正されたコンテンツで修正前のコンテンツを上書きする。修正後のファイル名が変わっている場合、図４に示したコンテンツ関連情報の「コンテンツＩＤ」が「０００１２５」であるレコ−ドの「コンテンツ」の値は修正後のファイル名となる。但しここでは、ファイル名は同じであるので、「コンテンツ」の値は変わらない。なお、修正されたコンテンツを受信していない場合、上記で示したコンテンツの蓄積処理は行われない。
【０１５５】
図１１は、行為情報と承認者に支払う料金の比率とを管理する行為比率管理表である。行為比率管理表は、行為情報の値の範囲を示す「行為」という項目と、コンテンツの価格に対する承認者に支払う料金の比率である「比率」という項目とを有している。
【０１５６】
会計処理部１１０は、行為情報取得部１０９が取得した「５０文字修正」という行為情報に応じた料金を承認者に支払う処理を行う。まず、承認結果受信部１０６が受信した承認結果から、承認者の識別情報である承認者Ｃのメールアドレス「ｄｏｃｔｏｒ０１＠ｈｏｓｐｉｔａｌ…」を読み出す。また、「コンテンツＩＤ」の値が、承認結果のコンテンツＩＤ「０００１２５」と同じであるコンテンツ関連情報から、「価格」の値である「１０００円」を取得する。また、行為情報が示す値が「５０」であるので、行為比率管理表から、この値が収まる値の範囲を示す「行為」と対応付けられた「比率」を取得する。「５０」は、行為比率管理表の上から４番目のレコードの「行為」が示す範囲「３１〜６０」に含まれるため、会計処理部１１０は、この「行為」に対応する「比率」である「２０％」を取得する。そして、上記で取得した価格「１０００円」にこの比率「２０％」を乗算することで、支払う金額である「２００円」を取得する。
【０１５７】
図１２は、図示しない記憶媒体に予め格納されている承認者の振込先の情報を管理する振込先管理情報を示す図である。振込先管理情報は、「承認者ＩＤ」、「振込先銀行」、「支店」、「種類」、「口座番号」、及び「名義人」という項目を有している。「承認者ＩＤ」は、図８の「承認者ＩＤ」に対応している。「振込先銀行」、「支店」、「種類」、「口座番号」、及び「名義人」は、振込先の銀行名、支店名、種類、口座番号、及び名義人名を示している。
【０１５８】
会計処理部１１０は、図１２に示した振込先管理情報から、「承認者ＩＤ」が承認者Ｃのメールアドレスである「ｄｏｃｔｏｒ０１＠ｈｏｓｐｉｔａｌ…」と一致するレコードを検出し、検出したレコードに含まれる「振込先銀行」、「支店」、「種類」、「口座番号」、及び「名義人」の情報を用いて、上記で取得した支払金額である「２００円」の振込処理を行う。この振込処理は、いわゆるオンラインバンキング等によって可能である。
【０１５９】
次に、コンテンツ送信部１０７は、修正結果に含まれるコンテンツＩＤ「０００１２５」を取得する。そして、上記においてコンテンツ要求情報受信部１０４が受信して図示しない記憶媒体に蓄積したコンテンツ要求情報の中から、「コンテンツＩＤ」が「０００１２５」と一致するものを検出し、検出したコンテンツ要求情報に含まれる要求者端末３０ａの識別情報であるメールアドレス「ｕｓｅｒＢ＠ｈｏｓｐｉｔａｌ…」を取得し、このメールアドレスに対して、購入された「コンテンツＩＤ」が「０００１２５」であるコンテンツの取得が可能となったことを知らせる情報を送信する。例えば、コンテンツが取得可能となったことを知らせる文字列と、コンテンツ格納部１０２に格納されている、コンテンツＩＤが「０００１２５」であるコンテンツに対するＵＲＬを有するリンク情報とを送信する。
【０１６０】
メールアドレス「ｕｓｅｒＢ＠ｈｏｓｐｉｔａｌ…」に対応する要求者端末３０ａの要求者受信部３０３は、コンテンツ送信部１０７が送信したコンテンツが送信可能となったことを示す情報を受信し、要求者出力部３０４は、この受信した情報を、図示しないモニタ等に表示する。
【０１６１】
図１３は、要求者端末３０ｂの要求者出力部３０４による、購入したコンテンツが送信可能となったことを示す情報の表示例を示す図である。
【０１６２】
そして、要求者Ｃが図１３に示した画面において、購入したコンテンツのＵＲＬを有するリンク情報を、マウス等でクリックすると、購入したコンテンツである「コンテンツＩＤ」が「０００１２５」であるコンテンツの送信を要求する情報が、要求者送信部３０２から、コンテンツ管理情報に送信され、コンテンツ送信部１０７は、この「コンテンツＩＤ」が「０００１２５」であるコンテンツを、コンテンツ格納部１０２から読み出して、要求者端末３０ａに送信する。これにより、要求者端末３０ａは、購入したコンテンツを取得することができる。
【０１６３】
また、コンテンツ管理装置１０の会計処理部１１０は、「コンテンツＩＤ」が「０００１２５」と一致するコンテンツ要求情報に含まれるクレジットカード番号等を用いて、送信されたコンテンツの価格「１０００円」を課金する処理を行う。なお、課金処理の詳細については省略する。
【０１６４】
なお、上記において、承認結果受信部１０６が受信した承認結果が、承認されなかったことを示す場合（即ちコンテンツが否認されたことを示す場合）、コンテンツ送信部１０７は、承認されなかったコンテンツの送信は行わず、コンテンツが出力可能となったことを示す情報等の送信等も行わない。この場合、否認情報送信部１０８は、否認されたことを示す承認結果から、否認されたコンテンツの「コンテンツＩＤ」を取得する。上記の場合、コンテンツＩＤ「０００１２５」を取得する。そして、このコンテンツＩＤ「０００１２５」に対応する「提供者ＩＤ」である「ｕｓｅｒＡ＠ｈｏｓｐｉｔａｌ…」を、図６に示したコンテンツ関連情報管理表から取得し、この「提供者ＩＤ」が示す提供者に、承認結果を示す情報を送信する。ここでは、この提供者ＩＤ「ｕｓｅｒＡ＠ｈｏｓｐｉｔａｌ…」は、提供者Ａの利用する提供者端末２０ａのメールアドレスであるため、このメールアドレスに承認結果を示す情報を送信する。否認情報送信部１０８は、例えば、「コンテンツＩＤ」が「０００１２５」であるコンテンツ関連情報から、コンテンツのファイル名「ｂｌｏｏｄ０１」とタイトル「血糖値測定マニュアル」等を読み出し、この情報を用いて承認結果を示す情報を生成して送信する。例えば、『ファイル名が「ｂｌｏｏｄ０１」、タイトルが「血糖値測定マニュアル」であるコンテンツが、承認されませんでした。』等の承認結果を示す情報を送信する。これにより、提供者は、承認されなかったコンテンツを知ることができる。また、この承認結果を示す情報には、承認者の情報（例えば、承認者の識別情報等）を含めるようにしても良い。
【０１６５】
また、一のコンテンツについての承認者を複数に設定したい場合、例えば、図８に示す承認先管理情報において、一のジャンル情報に対応する承認先識別情報を複数用意すればよい。そして、コンテンツ要求情報受信部１０４がコンテンツ要求情報を受け付けた場合に、承認指示送信部１０５は、要求されたコンテンツに対応するジャンル情報に応じて、複数の承認先識別情報を取得し、各承認先識別情報に承認指示を送信すればよい。また、この場合、承認結果受信部１０６は、承認指示送信部１０５が送信した承認指示の送信先数の情報等を取得するようにし、この送信先数と同じ数の承認結果を受信した時点で、全ての承認結果が、コンテンツを承認することを示すものである否かを判断し、全てが承認されている場合にのみ、コンテンツが承認されたと判断するようにしても良い。このようにすることで、複数の承認者によって、コンテンツの承認が行われることによって、承認の際のコンテンツのチェック漏れ等を防ぐことができる。
【０１６６】
また、この場合において、コンテンツ要求情報受信部１０４が修正されたコンテンツを受信した場合、修正されたコンテンツを受信するごとに、コンテンツの差分から行為情報を取得し、取得した行為情報に応じた料金の支払処理を、コンテンツを修正した承認者ごとに行うようにしても良い。
【０１６７】
なお、上記具体例においては、「コンテンツＩＤ」によって、コンテンツ要求情報や、承認指示や、承認結果等の対応付けを行うようにしているが、これらの対応付けはどのように行っても良い。例えば、コンテンツ要求情報に識別情報を付与するようにして、このコンテンツＩＤの代わりにコンテンツ要求情報の識別情報を用いて、あるいは、コンテンツＩＤとコンテンツ要求情報の識別情報とを併用して、コンテンツ要求情報や、承認指示や、承認結果等の対応付けを行うようにしても良いことはいうまでもない。
【０１６８】
以上、本実施の形態によれば、受信したコンテンツについて承認を行って、承認されたコンテンツだけをコンテンツを要求する要求者端末に送信することができるため、承認が必要なコンテンツの登録と提供とを適切に管理することができる。
【０１６９】
なお、上記各実施の形態において、各処理（各機能）は、単一の装置（システム）によって集中処理されることによって実現されてもよく、あるいは、複数の装置によって分散処理されることによって実現されてもよい。
【０１７０】
また、上記各実施の形態において、一の装置に存在する２以上の通信手段（コンテンツ受信部や承認指示送信部など）は、物理的に一の媒体で実現されても良いことは言うまでもない。
【０１７１】
なお、上記各実施の形態におけるコンテンツ管理装置を実現するソフトウェアは、以下のようなプログラムである。つまり、このプログラムは、コンテンツ受信部が受信したコンテンツと、コンテンツの識別情報であるコンテンツ識別情報とを有する情報であるコンテンツ関連情報が格納されるコンテンツ格納部にアクセス可能なコンピュータを、コンテンツの提供者が利用する情報端末である１以上の提供者端末が送信するコンテンツを受信するコンテンツ受信部と、コンテンツ受信部が受信したコンテンツを含むコンテンツ関連情報を、コンテンツ格納部に蓄積するコンテンツ蓄積部と、コンテンツの要求者が利用する情報端末である１以上の要求者端末が送信する情報であって、コンテンツ識別情報と、コンテンツ識別情報に対応付けられたコンテンツの送信を要求する情報である送信要求情報とを有する情報であるコンテンツ要求情報を受信するコンテンツ要求情報受信部と、コンテンツの承認者が利用する情報端末である１以上の承認者端末が送信する情報であって、コンテンツ受信部が受信したコンテンツについての承認処理の結果を示す情報である承認結果を受信する承認結果受信部と、コンテンツ要求情報が要求するコンテンツが、承認されたコンテンツである場合に、コンテンツをコンテンツ格納部から読み出し、コンテンツ要求情報の送信元である要求者端末に送信するコンテンツ送信部と、して機能させるためのプログラムである。
【０１７２】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１７３】
また、このプログラムを実行するコンピュータは、単数であってもよく、複数であってもよい。すなわち、集中処理を行ってもよく、あるいは分散処理を行ってもよい。
【０１７４】
図１４は、上記プログラムを実行して、上記実施の形態によるコンテンツ管理装置、提供者端末２０、要求者端末３０、承認者端末４０を実現するコンピュータの外観の一例を示す模式図である。上記実施の形態は、コンピュータハードウェア及びその上で実行されるコンピュータプログラムによって実現されうる。
【０１７５】
図１４において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１７６】
図１５は、コンピュータシステム９００の内部構成を示す図である。図１５において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１７７】
コンピュータシステム９００に、上記実施の形態によるコンテンツ管理装置等の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１７８】
プログラムは、コンピュータ９０１に、上記実施の形態によるコンテンツ管理装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１７９】
本発明は、以上の実施の形態に限定されることなく、種々の変更が可能であり、それらも本発明の範囲内に包含されるものであることは言うまでもない。
【産業上の利用可能性】
【０１８０】
以上のように、本発明にかかるコンテンツ管理装置等は、コンテンツを管理する装置等として適しており、特に、承認されたコンテンツを提供する装置等として有用である。
【符号の説明】
【０１８１】
１  コンテンツ管理システム
１０  コンテンツ管理装置
２０、２０ａ、２０ｂ  提供者端末
３０、３０ａ、３０ｂ  要求者端末
４０、４０ａ、４０ｂ  承認者端末
１０１  コンテンツ受信部
１０２  コンテンツ格納部
１０３  コンテンツ蓄積部
１０４  コンテンツ要求情報受信部
１０５  承認指示送信部
１０６  承認結果受信部
１０７  コンテンツ送信部
１０８  否認情報送信部
１０９  行為情報取得部
１１０  会計処理部
２０１  提供者格納部
２０２  提供者送信部
２０３  提供者受信部
２０４  提供者出力部
３０１  要求者入力受付部
３０２  要求者送信部
３０３  要求者受信部
３０４  要求者出力部
４０１  承認者受信部
４０２  承認者出力部
４０３  承認者入力受付部
４０４  承認者送信部
【図１】
0005730690.tif 000002
【図２】
0005730690.tif 000003
【図３】
0005730690.tif 000004
【図４】
0005730690.tif 000005
【図５】
0005730690.tif 000006
【図６】
0005730690.tif 000007
【図７】
0005730690.tif 000008
【図８】
0005730690.tif 000009
【図９】
0005730690.tif 000010
【図１０】
0005730690.tif 000011
【図１１】
0005730690.tif 000012
【図１２】
0005730690.tif 000013
【図１３】
0005730690.tif 000014
【図１４】
0005730690.tif 000015
【図１５】
0005730690.tif 000016